(57)【要約】【課題】サイズを小さく抑えつつ使用者が装着しやすい吸収性物品の製造方法および吸収性物品を提供する。【解決手段】吸収性物品の製造方法であって、液体を吸収するための吸収体が連なる連続体を製造する連続体製造ステップと、吸収性物品本体の一方の面に、前記連続体が有する１つの前記吸収体の長手方向の一方の端部を、剥離不能に本接合し、当該吸収体の長手方向の他方の端部を、剥離可能に仮接合する連続体接合ステップと、を有し、前記連続体接合ステップにて、前記連続体が仮接合された部位と、製造される前記吸収性物品の外縁との間に、前記吸収体と前記吸収性物品本体とが接合されていない非接合部を有するように、前記連続体を前記吸収性物品本体に接合する。【選択図】図１２
2008113959.tif 000002
【特許請求の範囲】
【請求項１】
吸収性物品の製造方法であって、
液体を吸収するための吸収体が連なる連続体を製造する連続体製造ステップと、
吸収性物品本体の一方の面に、前記連続体が有する１つの前記吸収体の長手方向の一方の端部を、剥離不能に本接合し、当該吸収体の長手方向の他方の端部を、剥離可能に仮接合する連続体接合ステップと、
を有し、
前記連続体接合ステップにて、前記連続体が仮接合された部位と、製造される前記吸収性物品の外縁との間に、前記吸収体と前記吸収性物品本体とが接合されていない非接合部を有するように、前記連続体を前記吸収性物品本体に接合することを特徴とする吸収性物品の製造方法。
【請求項２】
請求項１に記載の吸収性物品の製造方法であって、
前記吸収性物品本体の他方の面に、シート部材を、前記吸収性物品の外形形状に沿って接合するシート部材接合ステップを有することを特徴とする吸収性物品の製造方法。
【請求項３】
請求項２に記載の吸収性物品の製造方法であって、
前記シート部材接合ステップにおいて、前記吸収性物品本体の前記他方の面と前記シート部材とは、接着剤を介して加熱圧着されることにより接合されることを特徴とする吸収性物品の製造方法。
【請求項４】
請求項１乃至請求項３のいずれかに記載の吸収性物品の製造方法であって、
前記連続体接合ステップにおいて、前記吸収体の長手方向の前記一方の端部と前記吸収性物品本体とは、接着剤を介して圧着されることにより本接合されることを特徴とする吸収性物品の製造方法。
【請求項５】
吸収性物品の製造方法であって、
液体を吸収するための吸収体を単体として製造する単体吸収体製造ステップと、
吸収性物品本体の一方の面に、前記吸収体の長手方向の一方の端部を、剥離不能に本接合し、当該吸収体の長手方向の他方の端部を、剥離可能に仮接合する吸収体接合ステップと、
を有し、
前記吸収体接合ステップにおいて、前記吸収体が仮接合された部位と、製造される前記吸収性物品の外縁との間に、前記吸収体と前記吸収性物品本体とが接合されていない非接合部を有するように、前記吸収体を前記吸収性物品本体に接合することを特徴とする吸収性物品の製造方法。
【請求項６】
請求項５に記載の吸収性物品の製造方法であって、
前記吸収性物品本体の他方の面に、シート部材を、前記吸収性物品の外形形状に沿って接合するシート部材接合ステップを有することを特徴とする吸収性物品の製造方法。
【請求項７】
請求項６に記載の吸収性物品の製造方法であって、
前記シート部材接合ステップにおいて、前記吸収性物品本体の前記他方の面と前記シート部材とは、接着剤を介して加熱圧着されることにより接合されることを特徴とする吸収性物品の製造方法。
【請求項８】
請求項５乃至請求項７のいずれかに記載の吸収性物品の製造方法であって、
前記吸収体接合ステップにおいて、前記吸収体の長手方向の前記一方の端部と前記吸収性物品本体とは、接着剤を介して圧着されることにより本接合されることを特徴とする吸収性物品の製造方法。
【請求項９】
請求項１乃至請求項４のいずれかに記載の吸収性物品の製造方法であって、
前記吸収体の長手方向の端部を補強して補強部を形成する補強部形成ステップを有し、
前記補強部形成ステップにて前記他方の端部側に前記補強部が形成され、形成された前記他方の端部側の前記補強部が、前記連続体接合ステップにて前記吸収性物品本体に仮接合されることを特徴とする吸収性物品の製造方法。
【請求項１０】
請求項９に記載の吸収性物品の製造方法であって、
前記補強部形成ステップにて前記一方の端部側に前記補強部が形成され、形成された前記一方の端部側の前記補強部が、前記連続体接合ステップにて前記吸収性物品本体に本接合されることを特徴とする吸収性物品の製造方法。
【請求項１１】
請求項５乃至請求項８のいずれかに記載の吸収性物品の製造方法であって、
前記吸収体の長手方向の端部を補強して補強部を形成する補強部形成ステップを有し、
前記補強部形成ステップにて前記他方の端部側に前記補強部が形成され、形成された前記他方の端部側の前記補強部が、前記吸収体接合ステップにて前記吸収性物品本体に仮接合されることを特徴とする吸収性物品の製造方法。
【請求項１２】
請求項１１に記載の吸収性物品の製造方法であって、
前記補強部形成ステップにて前記一方の端部側に前記補強部が形成され、形成された前記一方の端部側の前記補強部が、前記吸収体接合ステップにて前記吸収性物品本体に本接合されることを特徴とする吸収性物品の製造方法。
【請求項１３】
請求項１乃至請求項１２のいずれかに記載の吸収性物品の製造方法であって、
前記吸収性物品本体は、前記吸収体と異なる他の吸収体を備えていることを特徴とする吸収性物品の製造方法。
【請求項１４】
請求項１乃至請求項１３のいずれかに記載の吸収性物品の製造方法にて製造されたことを特徴とする吸収性物品。
【請求項１５】
吸収性物品本体と、
液体を吸収するための吸収体であって、前記吸収性物品本体の一方の面に、長手方向の一方の端部が剥離不能に本接合され、前記吸収性物品本体の外縁より内側に前記吸収性物品本体と接合されていない非接合部を他方の端部側に備えるように、当該他方の端部が剥離可能に仮接合された吸収体と、
を有することを特徴とする吸収性物品。
【請求項１６】
請求項１５に記載の吸収性物品であって、
前記非接合部は、使用者が前記吸収体を把持するための把持部として構成されていることを特徴とする吸収性物品。
【発明の詳細な説明】
【技術分野】
【０００１】
本発明は、吸収性物品の製造方法、及び、吸収性物品に関する。
【背景技術】
【０００２】
従来、経血などの所定の液体を吸収する吸収性物品として、液体を吸収する本体部と、本体部の表面に部分的に固定された表面構造体とを有し、本体部の裏面には液体の漏れを防止するためにポリエチレン等の液不透過性シートが設けられた吸収性物品が知られている（例えば、特許文献１参照）。近年、このような吸収性物品は、使用時に表面構造体を身体の前後方向に沿うように配置し、前方側を本体部に固定し後方側を本体部と分離可能とし、後方側の部位が臀部の溝に入り込むように装着することにより、ずれを防止することが考えられている。そして使用する際には、使用者が表面構造体の後端を後方に引き上げることで、表面構造体を臀部の溝に配置させることが考えられる。また、表面構造体の前方が固定されているだけでは表面構造体の後端の位置が不安定であり、使用者は表面構造体の後端を掴みにくいため、使用するまでは剥離可能な程度に本体部に仮固定されていることが望ましい。
【特許文献１】特開２００３−７９６６２号公報
【発明の開示】
【発明が解決しようとする課題】
【０００３】
上記のような従来の吸収性物品を使用する際には、使用者は表面構造体の後端を引き上げるために表面構造体の後端を把持しなければならない。また、表面構造体の後端が本体部に仮固定されている場合には、仮固定を解除しなければならないため、確実に後端を把持する必要がある。このため表面構造体の後端を本体部より突出させることにより、本体部の後端と重なる位置で表面構造体を本体部に仮固定しておくと突出した部位を把持し易くなる。しかしながら、表面構造体の後端が本体部より突出していると、吸収性物品の全長が長くなるとともに包装された状態でもサイズが大きくなり携帯性が損なわれる畏れがあるという課題がある。
【０００４】
本発明は、上記のような従来の問題に鑑みなされたものであって、サイズを小さく抑えつつ使用者が装着しやすい吸収性物品の製造方法および吸収性物品を提供することを目的とする。
【課題を解決するための手段】
【０００５】
上記のような課題を解決するために、主たる本発明は、吸収性物品の製造方法であって、液体を吸収するための吸収体が連なる連続体を製造する連続体製造ステップと、吸収性物品本体の一方の面に、前記連続体が有する１つの前記吸収体の長手方向の一方の端部を、剥離不能に本接合し、当該吸収体の長手方向の他方の端部を、剥離可能に仮接合する連続体接合ステップと、を有し、前記連続体接合ステップにて、前記連続体が仮接合された部位と、製造される前記吸収性物品の外縁との間に、前記吸収体と前記吸収性物品本体とが接合されていない非接合部を有するように、前記連続体を前記吸収性物品本体に接合することを特徴とする吸収性物品の製造方法である。
【発明の効果】
【０００６】
本発明によれば、サイズを小さく抑えつつ使用者が装着しやすい吸収性物品の製造方法および吸収性物品を提供することが可能である。
【発明を実施するための最良の形態】
【０００７】
本明細書及び図面には、少なくとも次の事項が開示されている。  
吸収性物品の製造方法であって、液体を吸収するための吸収体が連なる連続体を製造する連続体製造ステップと、吸収性物品本体の一方の面に、前記連続体が有する１つの前記吸収体の長手方向の一方の端部を、剥離不能に本接合し、当該吸収体の長手方向の他方の端部を、剥離可能に仮接合する連続体接合ステップと、を有し、前記連続体接合ステップにて、前記連続体が仮接合された部位と、製造される前記吸収性物品の外縁との間に、前記吸収体と前記吸収性物品本体とが接合されていない非接合部を有するように、前記連続体を前記吸収性物品本体に接合することを特徴とする吸収性物品の製造方法である。
【０００８】
このような吸収性物品の製造方法によれば、連続体が切断された１つの吸収体は、吸収性物品本体に一方の端部が剥離不能に本接合され、他方の端部が剥離可能に仮接合されるので、製造された吸収性物品は、他方の端部を吸収性物品本体から剥離させて、吸収体が吸収性物品本体と一方の端部のみで接合された状態とすることが可能であり、他方の端部側を吸収性物品本体から離した状態で使用することが可能である。このため、例えば、吸収体を吸収性物品本体から分離させて臀部の溝にはいりこませ、身体に密着させて使用することが可能な吸収性物品を製造することが可能である。このような吸収性物品を使用する際には、吸収体の他方の端部を吸収性物品本体から剥離させる必要がある。そこで、本吸収性物品の製造方法では、連続体接合ステップにて、連続体が仮接合された部位と、製造される吸収性物品の外縁との間に、吸収体と吸収性物品本体とが接合されていない非接合部を有するように連続体を接合することにより、製造された吸収性物品の吸収体における仮接合された部位と製造される吸収性物品の外縁との間に非接合部が形成される。このため、使用者が非接合部を把持して、吸収体と吸収性物品本体とを容易に剥離させることが可能な吸収性物品を製造することが可能である。ここで、端部とは輪郭部の端縁（エッジ）のみを示すものではなく、端縁を含みその近傍を示している。このため、本接合される一方の端部および仮接合される他方の端部では、必ずしも端縁が接合されているとは限らない。以下の説明における「端部」も同様である。
【０００９】
かかる吸収性物品の製造方法であって、前記吸収性物品本体の他方の面に、シート部材を、前記吸収性物品の外形形状に沿って接合するシート部材接合ステップを有することが望ましい。  
このような吸収性物品の製造方法によれば、シート部材接合ステップにより吸収性物品本体の他方の面に、シート部材が吸収性物品の外形形状に沿って接合されるので、吸収性物品本体および吸収体の裏面側からの液体の漏れをシート部材により抑えることが可能である。特に、シート部材は吸収性物品の外形形状に沿って接合されているので、吸収性物品の外周部の剛性を高めることが可能であり、丈夫な吸収性物品を製造することが可能である。
【００１０】
かかる吸収性物品の製造方法であって、前記シート部材接合ステップにおいて、前記吸収性物品本体の前記他方の面と前記シート部材とは、接着剤を介して加熱圧着されることにより接合されることが望ましい。  
このような吸収性物品の製造方法によれば、吸収性物品本体の他方の面とシート部材とは、接着剤を介して加熱圧着されるので、吸収性物品本体とシート部材とを、吸収性物品の外形形状に沿って、より強固に接合することが可能であり、外縁がより丈夫な吸収性物品を製造することが可能である。
【００１１】
かかる吸収性物品の製造方法であって、前記連続体接合ステップにおいて、前記吸収体の長手方向の前記一方の端部と前記吸収性物品本体とは、接着剤を介して圧着されることにより本接合されることが望ましい。  
このような吸収性物品の製造方法によれば、連続体が有する１つの吸収体の長手方向の一方の端部と吸収性物品本体とは接着剤を介して圧着されるので、連続体が有する１つの吸収体の長手方向の一方の端部と吸収性物品本体とをより強固に接合することが可能であり、剥離不能な状態とすることが可能である。
【００１２】
また、吸収性物品の製造方法であって、液体を吸収するための吸収体を単体として製造する単体吸収体製造ステップと、吸収性物品本体の一方の面に、前記吸収体の長手方向の一方の端部を、剥離不能に本接合し、当該吸収体の長手方向の他方の端部を、剥離可能に仮接合する吸収体接合ステップと、を有し、前記吸収体接合ステップにおいて、前記吸収体が仮接合された部位と、製造される前記吸収性物品の外縁との間に、前記吸収体と前記吸収性物品本体とが接合されていない非接合部を有するように、前記吸収体を前記吸収性物品本体に接合することを特徴とする吸収性物品の製造方法である。
【００１３】
このような吸収性物品の製造方法によれば、吸収体は、吸収性物品本体に一方の端部が剥離不能に本接合され、他方の端部が剥離可能に仮接合されるので、製造された吸収性物品は、他方の端部を吸収性物品本体から剥離させて、吸収体が吸収性物品本体と一方の端部のみで接合された状態とすることが可能であり、他方の端部側を吸収性物品本体から離した状態で使用することが可能である。このため、例えば、吸収体を吸収性物品本体から分離させて臀部の溝にはいりこませ、身体に密着させて使用することが可能な吸収性物品を製造することが可能である。このような吸収性物品を使用する際には、吸収体の他方の端部を吸収性物品本体から剥離させる必要がある。そこで、本吸収性物品の製造方法では、吸収体接合ステップにて、吸収体が仮接合された部位と、製造される吸収性物品の外縁との間に、吸収体と吸収性物品本体とが接合されていない非接合部を有するように吸収体を接合することにより、製造された吸収性物品の吸収体における仮接合された部位と製造される吸収性物品の外縁との間に非接合部が形成される。このため、使用者が非接合部を把持して、吸収体と吸収性物品本体とを容易に剥離させることが可能な吸収性物品を製造することが可能である。
【００１４】
かかる吸収性物品の製造方法であって、前記吸収性物品本体の他方の面に、シート部材を、前記吸収性物品の外形形状に沿って接合するシート部材接合ステップを有することが望ましい。  
このような吸収性物品の製造方法によれば、シート部材接合ステップにより吸収性物品本体の他方の面に、シート部材が吸収性物品の外形形状に沿って接合されるので、吸収性物品本体および吸収体の裏面側からの液体の漏れをシート部材により抑えることが可能である。特に、シート部材は吸収性物品の外形形状に沿って接合されているので、吸収性物品の外周部の剛性を高めることが可能であり、丈夫な吸収性物品を製造することが可能である。
【００１５】
かかる吸収性物品の製造方法であって、前記シート部材接合ステップにおいて、前記吸収性物品本体の前記他方の面と前記シート部材とは、接着剤を介して加熱圧着されることにより接合されることが望ましい。  
このような吸収性物品の製造方法によれば、吸収性物品本体の他方の面とシート部材とは、接着剤を介して加熱圧着されるので、吸収性物品本体とシート部材とを、吸収性物品の外形形状に沿って、より強固に接合することが可能であり、外縁がより丈夫な吸収性物品を製造することが可能である。
【００１６】
かかる吸収性物品の製造方法であって、前記吸収体接合ステップにおいて、前記吸収体の長手方向の前記一方の端部と前記吸収性物品本体とは、接着剤を介して圧着されることにより本接合されることが望ましい。  
このような吸収性物品の製造方法によれば、吸収体の長手方向の一方の端部と吸収性物品本体とは接着剤を介して圧着されるので、吸収体の長手方向の一方の端部と吸収性物品本体とをより強固に接合することが可能であり、剥離不能な状態とすることが可能である。
【００１７】
かかる吸収性物品の製造方法であって、前記吸収体の長手方向の端部を補強して補強部を形成する補強部形成ステップを有し、前記補強部形成ステップにて前記他方の端部側に前記補強部が形成され、形成された前記他方の端部側の前記補強部が、前記連続体接合ステップにて前記吸収性物品本体に仮接合されることが望ましい。  
このような吸収性物品の製造方法によれば、連続体接合ステップにて、連続体が有する１つの吸収体が剥離可能に仮接合される部位は、補強部形成ステップにて補強された補強部なので、たとえ仮接合された部位を剥離しても吸収体が損傷され難い吸収性物品を製造することが可能である。
【００１８】
かかる吸収性物品の製造方法であって、前記補強部形成ステップにて前記一方の端部側に前記補強部が形成され、形成された前記一方の端部側の前記補強部が、前記連続体接合ステップにて前記吸収性物品本体に本接合されることが望ましい。  
このような吸収性物品の製造方法によれば、連続体接合ステップにて連続体が有する１つの吸収体が剥離不能に本接合される部位は、補強部形成ステップにて補強された補強部なので、たとえ強固に接合された部位が引っ張られても吸収体が損傷されにくい吸収性物品を製造することが可能である。
【００１９】
かかる吸収性物品の製造方法であって、前記吸収体の長手方向の端部を補強して補強部を形成する補強部形成ステップを有し、前記補強部形成ステップにて前記他方の端部側に前記補強部が形成され、形成された前記他方の端部側の前記補強部が、前記吸収体接合ステップにて前記吸収性物品本体に仮接合されることが望ましい。  
このような吸収性物品の製造方法によれば、吸収体接合ステップにて、吸収体が剥離可能に仮接合される部位は、補強部形成ステップにて補強された補強部なので、たとえ仮接合された部位を剥離しても吸収体が損傷され難い吸収性物品を製造することが可能である。
【００２０】
かかる吸収性物品の製造方法であって、前記補強部形成ステップにて前記一方の端部側に前記補強部が形成され、形成された前記一方の端部側の前記補強部が、前記吸収体接合ステップにて前記吸収性物品本体に本接合されることが望ましい。  
このような吸収性物品の製造方法によれば、吸収体接合ステップにて吸収体が剥離不能に本接合される部位は、補強部形成ステップにて補強された補強部なので、たとえ強固に接合された部位が引っ張られても吸収体が損傷されにくい吸収性物品を製造することが可能である。
【００２１】
かかる吸収性物品の製造方法であって、前記吸収性物品本体は、前記吸収体と異なる他の吸収体を備えていることが望ましい。  
このような吸収性物品の製造方法によれば、吸収体が接合されている吸収性物品本体が他の吸収体を備えているので、たとえ吸収体に吸収されなかった液体が発生しても、吸収性物品本体が備える他の吸収体により液体を吸収させることが可能である。
【００２２】
また、上記吸収性物品の製造方法にて製造されたことを特徴とする吸収性物品である。
【００２３】
このような吸収性物品によれば、吸収体の他方の端部を吸収性物品本体から剥離させて、吸収体が吸収性物品本体と一方の端部のみで接合された状態とすることが可能であり、他方の端部側を吸収性物品本体から離した状態で使用することが可能である。さらに、吸収体の他方の端縁側の非接合部を把持して、吸収体と吸収性物品本体とを容易に剥離させることが可能である。
【００２４】
また、吸収性物品本体と、液体を吸収するための吸収体であって、前記吸収性物品本体の一方の面に、長手方向の一方の端部が剥離不能に本接合され、前記吸収性物品本体の外縁より内側に前記吸収性物品本体と接合されていない非接合部を他方の端部側に備えるように、当該他方の端部が剥離可能に仮接合された吸収体と、を有することを特徴とする吸収性物品である。
【００２５】
このような吸収性物品によれば、他方の端部を吸収性物品本体から剥離させて、吸収体が吸収性物品本体と一方の端部のみで接合された状態とすることが可能であり、他方の端部側を吸収性物品本体から離した状態で使用することが可能である。また、吸収体の他方の端部は、吸収体が仮接合された部位と外縁との間に非接合部を有するので、非接合部側から持ち上げて、吸収性物品本体から容易に剥離させることが可能な吸収性物品を実現することが可能である。
【００２６】
かかる吸収性物品であって、前記非接合部は、使用者が前記吸収体を把持するための把持部として構成されていることが望ましい。  
このような吸収性物品の製造方法によれば、吸収体が仮接合された部位と外縁との間に非接合部は、使用者が把持するための把持部として構成されているので、使用者が把持部を把持して吸収体と吸収性物品本体とを容易に剥離させることが可能な吸収性物品を提供することが可能である。
【００２７】
＝＝＝第１実施形態＝＝＝
まず、第１実施形態に係る吸収性物品の構成の概要について説明する。本実施形態の吸収性物品は、生理用ナプキンであり、以下では身体に接触する側を表面側とし、下着に接する側を裏面側とし、装着時に人体の前側に位置する端を前端、後側に位置する端を後端として説明する。
【００２８】
図１は本実施形態に係る吸収性物品の表面側を示す平面図、図２は本実施形態に係る吸収性物品の裏面側を示す図、図３は図１におけるＸ−Ｘ断面図、図４は図１におけるＹ−Ｙ断面図、図５は本実施形態に係る吸収性物品を示す斜視図、図６はトップ吸収体を示す平面図、図７（ａ）は図６におけるＡ−Ａ断面図、図７（ｂ）は図６におけるＢ−Ｂ断面図、図７（ｃ）は図６におけるＣ−Ｃ断面図である。
【００２９】
＜＜吸収性物品＞＞
図示するように、本実施形態における吸収性物品１は所定方向に長い形状をなし、経血等の液体を吸収するためのほぼ長方形状をなす吸収性物品本体としてのベース吸収体１０と、ベース吸収体１０の一方の面としての表面に接合され、ベース吸収体１０の幅方向における中央に長手方向に沿って配置された吸収体としてのトップ吸収体２０と、ベース吸収体１０の他方の面としての裏面に設けられるシート部材としての裏面シート３０と、を備えている。裏面シート３０は、ベース吸収体１０及びトップ吸収体２０に吸収されるべき液体の裏面側への漏れを防止するために設けられている。
【００３０】
本吸収性物品１では、吸収性物品１の幅方向における中心線上であって、長手方向における中央より前端側に、身体排泄口部位が吸収性物品１に当接することが想定される身体排泄口部位当接想定位置Ｚが位置している。すなわち、吸収性物品１は、身体排泄口部位当接想定位置Ｚから後端側の長さが身体排泄口部位当接想定位置Ｚから前端側の長さより長く形成されている。
【００３１】
ベース吸収体１０は、シート状のパルプを粉砕した粉砕パルプと高吸収性ポリマーと熱融着性繊維とを有する吸収体素材１２ａ（図１１）を例えばティッシュペーパー等の薄葉紙１２ｂ（図１１）にて所定の厚さのシート状に包んだ他の吸収体としての吸収体基材１２と、吸収体基材１２の幅方向の中央部分における表面に貼り付けられた表面シート１４とを有している。吸収体素材１２ａは、前述したようにほぼ長方形状をなしているが、図１に示すように後端側が、幅方向の中央にて前端側に湾曲するように形成されている。薄葉紙１２ｂと表面シート１４とはいずれも液透過性シートである。また、薄葉紙１２ｂは、高吸収性ポリマーの粒子より目の細かなシートであり、吸収体基材１２から外部に高吸収性ポリマーが漏れることを防止する。表面シート１４は身体に接触する表面側に位置するため、薄葉紙１２ｂより柔らかなシートが用いられている。
【００３２】
トップ吸収体２０もベース吸収体１０と同様に、粉砕パルプと高吸収性ポリマーと熱融着性繊維とからなる吸収体素材１２ａを有し、身体に接触する表面側に、表面シート１４より液体保持力の高い液透過性の中間シート１６を備え、その外周をベース吸収体１０と同様の表面シート１４が包んでいる。中間シート１６は、表面シート１４より密度が高く表面張力による吸収性が高い部材であり、表面シート１４の内側に中間シート１６を設けることにより、表面シート１４に浸透した液体を、表面シート１４より液の引き込み性が高い中間シート１６側に移動させている。
【００３３】
トップ吸収体２０は、ベース吸収体１０より幅が狭く形成され、トップ吸収体２０がベース吸収体１０上に長手方向に沿って配置されて接合された際にトップ吸収体２０の後端縁とベース吸収体１０の後端縁とがほぼ一致するように形成されている。また、トップ吸収体２０の幅方向における中央部には、後端側のほぼ半分の領域に長手方向に沿って、図７（ｂ）に示すように、吸収体素材１２ａの量を他の部位より少なくした薄肉部１２ｃが形成されている。この薄肉部１２ｃによりトップ吸収体２０は長手方向に沿って表面側が山となって連なるように折れ曲がり易く形成されている。
【００３４】
また、トップ吸収体２０の前端２０ａ側及び後端２０ｂ側には、表面シート１４のみが折り畳まれ、畳まれた表面シート１４の間に接着剤が介在された状態でエンボス加工が施されることにより補強された補強部２５、２６が形成されている。この補強部２５、２６には吸収体素材１２ａ及び中間シート１６は存在しない。エンボス加工については後述する。
【００３５】
トップ吸収体２０の一方の端部としての前端２０ａ側はベース吸収体１０に補強部２６にて本接合され、他方の端部としての後端２０ｂ側はベース吸収体１０から離間可能に形成されている。そして、未使用時には、トップ吸収体２０の後端２０ｂ側は、ベース吸収体１０の後端縁より内側にて補強部２５が仮接合されている。トップ吸収体２０は、仮接合された仮接合部２５ｃと、吸収性物品１の外縁となるベース吸収体１０の後端縁１０ａとの間に、トップ吸収体２０とベース吸収体１０とが接合されていない非接合部２０ｃを有しており、非接合部２０ｃは装着する際などに使用者が把持することが可能な把持部２５ａとなる。ここで本接合とは、トップ吸収体２０とベース吸収体１０とを故意に分離させようとすると、トップ吸収体２０とベース吸収体１０の少なくともいずれか一方の破損を伴うことが余儀なくされる程度に強固に接合された剥離不能な状態を示し、仮接合とは、ベース吸収体１０及びトップ吸収体２０の機能を損なうことなく使用者がトップ吸収体２０をベース吸収体１０から剥離して容易に分離することができる程度に接合された剥離可能な状態を示している。また以下の説明において、端部とは輪郭部分の端縁（エッジ）のみを示すものではなく、端縁を含みその近傍を示している。このため、上述した本接合される一方の端部および仮接合される他方の端部では、必ずしも端縁が接合されているとは限らない。
【００３６】
また、後端２０ｂ側の補強部２５において、ベース吸収体１０と仮接合された位置より吸収体素材１２ａ側の部位２５ｂであってベース吸収体１０と対向する位置には、使用時にトップ吸収体２０の後端２０ｂ側を下着に固定するためのフック材２２が設けられている。このフック材２２は、例えば、メカニカルファスナーの雄材である。ベース吸収体１０とトップ吸収体２０の後端２０ｂ側補強部２５とが重ねられた部位はエンボス加工により圧着されて仮接合されているが、フック材２２も、未使用時にトップ吸収体２０の後端２０ｂ側とベース吸収体１０の表面シート１４とを仮接合すべく機能する。なお、フック部材２２は、必ずしも補強部２５に設けられていなくてもよい。例えば、トップ吸収体２０の吸収体素材１２ａが配置されている部位に、長手方向に沿って設けられていてもよい。また、フック材２２を仮接合するために用いることを記載しているが、仮接合の方法はエンボス加工による圧着のみでも、また、フック材２２の代わりに接着してもよく、これらに限らない。
【００３７】
裏面シート３０は、ポリエチレンやポリプロピレン等の熱可塑性かつ液不透過性のシートである。裏面シート３０は、ベース吸収体１０より十分に広く形成され、幅方向の両側には、長手方向において身体排泄口部位当接想定位置Ｚを中心とする所定領域に、幅方向外側に延出された保持部３２が形成されている。裏面シート３０の裏面側であって、表面側にベース吸収体１０が存在する領域付近と保持部３２とには、接着剤３５を介して剥離シート３４（図２、図８）が設けられている。吸収性物品１の使用時には、剥離シート３４が剥がされて裏面シート３０が下着の内側に当接されると共に、保持部３２が外側に折り返されて下着の外面に当接され、裏面シート３０と下着との間に介在された接着剤３５により、吸収性物品１が下着に保持される。なお、剥離シート３４には剥離剤が塗布されており接着剤から容易に剥がすことが可能である。本実施形態においては、シート部材としての裏面シート３０をポリエチレンやポリプロピレン等の熱可塑性かつ液不透過性のシートとしたが、熱可塑性かつ液不透過性のシートを含み、例えば薄葉紙や不織布等が積層されたシート状の部材を用いてもよい。
【００３８】
次に、包装された形態の吸収性物品１について説明する。図８は、吸収性物品が包装される状態を説明するための図である。  
包装された形態の吸収性物品１は、保持部３２が表面側に折り曲げられると共に、両側の保持部３２と裏面側とにそれぞれ、接着剤３５を覆う剥離シート３４が設けられている。剥離シート３４が設けられた状態の吸収性物品１は、裏面側に配置された長方形状の包装シート３６とともに、長手方向に沿って巻き込むように表面側に折り畳まれている。このとき、包装シート３６における吸収性物品１の後端１ｂ側の端部（以下、包装シート３６の後端３６ｂという）は、吸収性物品１より長く延出されて接着剤が僅かに塗布されており、吸収性物品１と共に包装シート３６を折り曲げた際にトップ吸収体２０の表面側に折り畳まれた保持部３２に設けられた剥離シート３４の剥離処理されていない側に極弱い接着力で接着される。そして、包装シート３６における前端３６ａ側に設けられたリードテープ３８が、吸収性物品１とともに既に折り曲げられている後端３６ｂ側の包装シート３６の外面に貼り付けられている。吸収性物品１とともに折り畳まれた包装シート３６は、その長手方向における縁部３６ｃが接着されて封止され、袋状となった包装シート３６内に吸収性物品１が収容された状態で使用者に供給される。
【００３９】
包装された吸収性物品１は、使用者によりリードテープ３８が剥がされ包装シート３６が開かれると前端１ａが露出される。露出された吸収性物品１の前端１ａと、リードテープ３８が付いた包装シート３６とが引きはがされることにより、吸収性物品１が容易に取り出されるように構成されている。取り出された吸収性物品１は、裏面側の剥離シート３４が剥がされて下着の適宜な位置に配置される。そして、保持部３２の剥離シート３４が剥がされて下着側に折り返され、下着の外側に接着剤３５にて貼着することにより下着に固定される。吸収性物品１が固定された下着が身体側に引き上げられた後、使用者によりトップ吸収体２０の補強部２５おけるベース吸収体１０と接合されていない非接合部２０ｃの把持部２５ａが把持されてトップ吸収体２０が引き上げられることにより、ベース吸収体１０とトップ吸収体２０との仮接合が解除されてベース吸収体１０からトップ吸収体２０の後端２０ｂ側が離間される。
【００４０】
その後、使用者が把持部２５ａを長手方向（ほぼ上下方向）に移動させることにより、トップ吸収体２０が身体排泄口部位及び身体排泄口部位近傍の身体の溝部に密着するようにトップ吸収体２０の位置が調整される。トップ吸収体２０が位置調整された状態で、下着の後ろ身頃の肌側表面もしくは下着の縁部にて折り曲げられて固定される。これにより、身体に好適に当接された状態でトップ吸収体２０が位置決めされる。このとき、フック材２２が、トップ吸収体２０の後端側ではなく、トップ吸収体２０において吸収体素材１２ａが設けられている部位の下側に設けられている場合には、フック材２２をベース吸収体１０に固定してもよい。また、ベース吸収体１０がトップ吸収体２０より長い場合には、必要に応じて、位置調整されたトップ吸収体２０の後端側をベース吸収体１０に固定してもよい。
【００４１】
＜＜吸収性物品の製造方法＞＞
次に、上記吸収性物品１の製造方法について説明する。図９は、吸収性物品が製造されるステップを説明するための図である。  
上記吸収性物品１を製造する製造方法の第１実施形態は、トップ吸収体２０が連なった連続体２１を製造する連続体製造ステップＳ１００と、ベース吸収体１０を製造するベース吸収体製造ステップＳ２００と、ベース吸収体１０及び連続体２１を用いて吸収性物品１を製造するメイン製造ステップＳ３００と、吸収性物品１を包装可能な状態とする包装前処理ステップＳ４００と、吸収性物品１を包装する包装ステップＳ５００とを有している。
【００４２】
図１０は、連続体製造ステップを説明するための図である。図１１は、ベース吸収体製造ステップを説明するための図である。図１２は、メイン製造ステップを説明するための図である。図１３は、包装前処理ステップを説明するための図である。図１４は、包装ステップを説明するための図である。図１０〜図１４においては、各製造ステップの流れを上側に示し、下側に製造されていく物品のイメージを示している。製造にあたっては材料及び製造物がコンベア等の搬送装置上に載置されて移動されつつ吸収性物品１が製造されていく。
【００４３】
＜連続体製造ステップＳ１００＞
ロール状に巻かれていた帯状の表面シート１４が、図１０に示すように連続体製造用の搬送装置３上に供給される。表面シート１４が搬送される際には、搬送装置３の下方から空気が吸引されており、表面シート１４は搬送装置３側に引き付けられている。
【００４４】
搬送された表面シート１４上には、単票状に切断された中間シート１６が供給され、開孔エンボス加工により、表面シート１４と中間シート１６とが一体化される。開孔エンボス加工は、上下に相対向する２つのローラ（不図示）間を通過することにより実行される。例えば、開孔エンボス加工に用いる一方のローラには円錐状に形成された突部が設けられており、対向するローラには円錐状の突部が入り込む穴が設けられている。そして、突部が形成されているローラは加熱されており、円錐状の突部が表面シート１４及び中間シート１６を貫通して開孔が形成される際に開孔縁部が熱融着されることにより表面シート１４と中間シート１６とが一体化される。
【００４５】
一体化された表面シート１４と中間シート１６とが搬送されると中間シート１６上に、シート状のパルプを粉砕する装置から供給される粉砕パルプと高吸収ポリマーと熱融着性繊維とが混合された吸収体素材１２ａが所定の形に形成されて積層される。このとき、連続して供給される表面シート１４上に搬送方向に沿って間隔を隔てて配置された中間シート１６の上に吸収体素材１２ａが載置された状態で搬送されていく。  
連なって搬送され、互いに隣接する吸収体素材１２ａ間と、幅方向（搬送方向と交差する方向）において吸収体素材１２ａの横に位置する表面シート１４上とにホットメルト系接着剤が塗布される。
【００４６】
搬送装置３の表面形状は、ホットメルト系接着剤が塗布された表面シート１４、中間シート１６、吸収体素材１２ａが積層された積層吸収体１１が搬送されると表面シート１４が吸収体素材１２ａを包むように、表面シート１４を案内すべく屈曲されている。搬送装置３の屈曲された表面に沿って表面シート１４が案内されることにより、吸収体素材１２ａが、中間シート１６と一体となった表面シート１４によって包まれる。本実施形態では、吸収性物品１として完成した際に表面となる側が搬送装置３側に向けられている。このため、吸収体素材１２ａが表面シート１４によって包まれた際には、表面シート１４の幅方向における端部が吸収体素材１２ａの上側で重ね合わせられて接着され、表面シート１４は筒状となる。このとき、吸収体素材１２ａは所定の間隔にて搬送装置３に供給されており、筒状に形成された表面シート１４の中は複数の吸収体素材１２ａが間隔を隔てて連なった状態となっている。
【００４７】
次に、表面シート１４に包まれた隣接する吸収体素材１２ａ間を、エンボス加工によりエンボスを形成すると共に接着する。エンボス加工は、上述した開孔エンボス加工と同様に、上下に相対向する２つのローラ間を通過することにより実行されるが、搬送装置３側に設けられる下ローラには、吸収体素材１２ａが搬送されてきたときにエンボスを形成したい領域に当接される部位に突部が形成されており、対向する上ローラの表面は平坦に形成されている。このとき突部の先端は平坦に形成されているため、表面シート１４には平坦な底部を有する凹部が形成される。中間シート１６と一体となった表面シート１４に包まれた吸収体素材１２ａが、上ローラと下ローラとの間を通過することにより、突部が隣接する吸収体素材１２ａ間が圧搾される。突部により圧搾された吸収体素材１２ａ間は接着されて封止され、封止された箇所が補強部２５、２６となって、吸収体素材１２ａの前後にそれぞれ補強部２５、２６が形成されたトップ吸収体２０の連続体２１が製造される（補強部形成ステップ）。
【００４８】
連続体２１は、更に搬送されて吸収体素材１２ａの薄肉部１２ｃに沿って折り癖を付与する処理が施される。折り癖は、トップ吸収体２０が身体排泄口部位近傍の身体の溝部に密着するように、トップ吸収体２０の幅方向におけるほぼ中央にて折れ曲がり易いように付与される。この折り癖を付与する処理により、吸収性物品１が装着される際に幅方向の中央にて自然に折れ曲がるように折り癖が付与される。折り癖は、図１０に示すように幅方向に沿う軸に支持されて、搬送装置３の搬送方向に沿って回転する円盤状の回転盤４０上を、吸収体素材１２ａが表面シート１４によって連ねられた状態で通過することによって付与される。このとき、回転盤４０は、搬送方向において吸収体素材１２ａの薄肉部１２ｃ及びその近傍のみ、表面シート１４が重ね合わせられた側から接触するように構成されている。
【００４９】
その後、連続体２１の各々のトップ吸収体２０となる部位に対しフック材２２が供給される。このときフック材２２の裏面にはホットメルト系接着剤が塗布されている。そして、フック材２２は、各トップ吸収体２０に対する搬送方向の前後に設けられた補強部２５、２６のいずれか一方に接着される。本実施形態では、搬送方向の前方に吸収性物品１の前端１ａが位置するように搬送されるので、搬送方向の後側に位置する補強部２５にフック材２２が接着される。この状態で、メイン製造ステップＳ３００に供給される。
【００５０】
＜ベース吸収体製造ステップＳ２００＞
ベース吸収体製造ステップＳ２００は、連続体製造ステップＳ１００とは異なる搬送装置４上にて実行される。  
ロール状に巻かれた帯状の薄葉紙１２ｂが引き出されて、図１１に示すように搬送装置４上に供給される。
【００５１】
搬送された薄葉紙１２ｂ上には、シート状のパルプを粉砕する装置から供給される粉砕パルプと高吸収ポリマーと熱融着性繊維とが混合された吸収体素材１２ａが所定の形に形成されて載置される。このとき、吸収体素材１２ａは、ほぼ長方形状をなし、後端側が幅方向の中央にて前端側に湾曲されており、長手方向が搬送方向に沿うように配置される。
【００５２】
薄葉紙１２ｂ上に吸収体素材１２ａが積層された状態で搬送される際には、搬送装置４の下方から空気が吸引されており、薄葉紙１２ｂ及び吸収体素材１２ａは搬送装置４側に引き付けられている。
【００５３】
搬送装置４の表面形状は、積層された薄葉紙１２ｂと吸収体素材１２ａとが搬送されると薄葉紙１２ｂが吸収体素材１２ａを包むように屈曲されており、搬送装置４の屈曲された表面に沿って薄葉紙１２ｂが案内されることにより、吸収体素材１２ａが薄葉紙１２ｂによって包まれる。本実施形態では、吸収性物品１として完成した際に表面となる側が搬送装置４側に向けられている。このため、吸収体素材１２ａが薄葉紙１２ｂによって包まれた際には、薄葉紙１２ｂの幅方向（搬送方向と交差する方向）における端部が吸収体素材１２ａの上面側で重ね合わせられて接着され、薄葉紙１２ｂは筒状となる。このとき、吸収体素材１２ａは所定の間隔にて搬送装置４に供給されており、筒状に形成された薄葉紙１２ｂの中は複数の吸収体素材１２ａが間隔を隔てて連なった状態となっている。
【００５４】
次に、薄葉紙１２ｂと、薄葉紙１２ｂに包まれた吸収体素材１２ａとを一体化するために、搬送方向における先端部及び後端部と、搬送方向の半分より先端側であって幅方向（搬送方向と交差する方向）の中央部分とを圧搾してエンボスを形成するエンボス加工を施す。エンボス加工は、上述したように上下に相対向する２つのローラ（不図示）間を通過することにより実行される。例えば、搬送装置４側に設けられる下ローラには、吸収体素材１２ａが搬送されてきたときにエンボスを形成したい領域に当接される部位に突部が形成されており、対向する上ローラの表面は平坦に形成されている。薄葉紙１２ｂに包まれた吸収体素材１２ａが、上ローラと下ローラとの間を通過することにより、突部が薄葉紙１２ｂと吸収体素材１２ａとを共に圧搾する。薄葉紙１２ｂと吸収体素材１２ａとは突部により圧搾されて複数のエンボスが形成されることにより一体化される。
【００５５】
エンボスが形成されて一体化された薄葉紙１２ｂと吸収体素材１２ａとは、吸収体素材１２ａの外形形状に沿ってカッター等にて切断される。切断された薄葉紙１２ｂと吸収体素材１２ａとが搬送される先には、ロール状に巻かれていた帯状の表面シート１４が上面にホットメルト系接着剤が塗布された状態で搬送装置４上に供給されている。そして、一体化された薄葉紙１２ｂと吸収体素材１２ａとが搬送されることにより表面シート１４上に載置される。
【００５６】
表面シート１４と共に搬送された薄葉紙１２ｂと吸収体素材１２ａとには、溝付きエンボス加工を施す。溝付きエンボス加工は、上述したエンボス加工と同様に、上下に相対向する２つのローラ間を通過させて一方のローラに設けられた突部によりエンボスを形成するが、溝付きエンボス加工では、圧搾された部位に繋がった溝部１８（図５）が形成されると共に、溝部１８内に更に深い底部を有する深底凹部１９（図５）が、溝部１８に沿って複数形成される。また、このとき、突部を有するローラは５０℃〜２００℃程度に加熱されている。このため、溝付きエンボス加工では加熱しつつ圧搾することにより、吸収体素材１２ａに含まれる熱融着性繊維が熱により接着が促され、薄葉紙１２ｂと吸収体素材１２ａと表面シート１４とを一体とする溝部１８や深底凹部１９が形成される。本実施形態では、図１１に示すように吸収体素材１２ａの幅方向における中央部に長手方向に沿って、長手方向のほぼ全域に長丸状の第１溝部１８ａと、第１溝部１８ａの平行な直線部を繋ぐように形成される円弧状の複数の第２溝部１８ｂとが形成されている。このとき、第１溝部１８ａの直線状の溝間の幅は、トップ吸収体２０の幅とほぼ一致するように形成され、溝部１８ａ、１８ｂ内には複数の深底凹部１９が形成されている。このため、一方のローラには、第１溝部１８ａ及び第２溝部１８ｂを形成するための、繋がった溝用突部が設けられており、溝用突部の頂部には複数の深底凹部１９を形成するための突部が互いに間隔を隔てて設けられている。溝付きエンボス加工により形成された溝部１８ａ、１８ｂは、表面シート１４の吸収体素材１２ａからの浮き上がりを防止し、さらに、溝部１８ａ、１８ｂ内に経血等が流入した場合には、高密度に圧搾された部位への浸透を促して経血等の拡散を抑える機能を有するとともに、装着時に身体への密着性を高めるための立体的な屈曲を促す機能も有している。
【００５７】
＜メイン製造ステップＳ３００＞
図１２に示すように、ベース吸収体製造ステップＳ２００にて製造されたベース吸収体１０上に、裏面シート３０が供給される。このとき、裏面シート３０は、ほぼ全面にホットメルト系接着剤が塗布されてベース吸収体１０と貼り合わされる。ここで、裏面シート３０は、ベース吸収体１０の幅より十分に広い帯状のシートである。
【００５８】
ベース吸収体１０上に裏面シート３０が載置された状態で搬送されると吸収性物品１の平面形状における外縁に、全周に亘って接合部３１を形成するシート部材接合ステップとしてラウンドシール加工が施される。このとき、ベース吸収体１０の後端側は幅方向の中央にて前端側に湾曲しているため、ベース吸収体１０の後方側は、ラウンドシール加工された接合部３１が広く形成されている。ラウンドシール加工は、吸収性物品１の平面形状における外縁となる外形形状に沿う部位を加熱圧着して硬化させる処理であるが、必ずしも全周に亘って加熱圧着する必要はない。例えば、ベース吸収体１０の後端側は、吸収体素材１２ａの外縁に沿って接合され、製造される吸収性物品１の外縁となる部位が接合されていなくともよい。
【００５９】
ラウンドシール加工は、上下に相対向する２つのローラ（不図示）間を通過することにより実行される。例えば、表面に吸収性物品１の平面形状における外縁と一致する突状部を備えたパターンロールと、表面がほぼ平滑な平滑ロールとの間にベース吸収体１０及び裏面シート３０を圧力及び熱を加えた状態で通過させることにより、吸収性物品１の平面形状における外縁とほぼ一致する接合部３１が形成される。このとき、ラウンドシール加工にて加熱する温度は、熱可塑性の裏面シート３０が損傷しない温度に設定されている。
【００６０】
吸収性物品１の外形形状に接合されたベース吸収体１０及び裏面シート３０が搬送されると、連続体製造ステップＳ１００にて製造された連続体２１が、ベース吸収体１０の下方から搬送装置４上に供給される。このとき、トップ吸収体２０の吸収体素材１２ａがベース吸収体１０の幅方向における中央であって、吸収体素材１２ａの前側補強部２６の端部がベース吸収体１０の前端に位置するように位置決めされる。また、連続体２１から形成されるトップ吸収体２０の身体当接面側、すなわち中間シート１６が設けられた側が搬送装置４と対向するように供給される。供給される連続体２１は、各吸収体素材１２ａに対し前端１２ｆ側となる補強部２６にホットメルト系接着剤が塗布されて供給される。
【００６１】
次に、連続体２１の吸収体素材１２ａにおける前端１２ｆ側及び後端１２ｇ側の補強部２５、２６とベース吸収体１０とが重なった部位に、連続体接合ステップとしてのエンボス加工が施される。このとき吸収体素材１２ａにおける前端１２ｆ側の補強部２６とベース吸収体１０とは、それらの間に接着剤が介在されているため、補強部２６のほぼ全域を押圧するエンボス加工により剥離不能に本接合される。また、このとき供給される連続体２１の補強部２６に塗布するホットメルト系接着剤の線径を太くすることにより低い押圧力であっても本接合することが可能である。さらに、裏面シート３０にダメージを与えないレベルまで熱を加えても構わない。本実施形態では、補強部２６のほぼ全域を押圧するエンボス加工に加え、ベース吸収体１０の前端側であって吸収体素材１２ａが存在しない位置に部分的なエンボス加工が施され、より強固に本接合される。
【００６２】
一方、吸収体素材１２ａにおける後端１２ｇ側の補強部２５とベース吸収体１０との間には接着剤が介在されていないため、剥離可能に仮接合される。そして、補強部２５とベース吸収体１０とを仮接合するためのエンボス加工は、ベース吸収体１０の後端側にて前端側に湾曲した部位の近傍であって、吸収体素材１２ａが存在しない位置に施される。このため、トップ吸収体２０の後端２０ｂ側の補強部２５は、仮接合部２５ｃと、製造される吸収性物品１の後端１ｂとの間に、補強部２５とベース吸収体１０とが接合されていない非接合部２０ｃが形成される。非接合部２０ｃは、吸収性物品１の使用者が把持できる程度の長さ分だけ設けられ把持部２５ａとなる。すなわち、補強部２５とベース吸収体１０とを仮接合するエンボス加工により、トップ吸収体２０の後端２０ｂ側は、ベース吸収体１０及びトップ吸収体２０の機能を損なうことなくベース吸収体１０から剥離して容易に分離することができる程度に仮接合されるとともに、後端部に把持部２５ａが形成される。連続体２１の補強部２５とベース吸収体１０とを仮接合するエンボス加工と、連続体２１の補強部２６とベース吸収体１０とを本接合するエンボス加工とは、いずれかを先に実行して２工程で実行してもよいし、前端用突部と後端用突部とが１つのローラが備えられた装置により１工程にて実行してもよい。また、トップ吸収体２０の前端２０ａ側の補強部２６とベース吸収体１０とを本接合する場合には、必ずしもエンボス加工を施す必要はなく、前端２０ａ側の補強部２６には、予めホットメルト系接着剤が塗布されているので、圧着するだけであっても剥離不能に本接合することが可能である。尚、本接合と仮接合とを１工程で圧着する場合であっても、補強部２５とベース吸収体１０との間には接着剤が介在されていないので、補強部２５とベース吸収体１０とを剥離可能に仮接合することが可能である。
【００６３】
次に、裏面シート３０の中央部分にホットメルト系接着剤が塗布された剥離シート３４が付与される。すなわち、接着剤３５は裏面シート３０に直接塗布されず、剥離シート３４に塗布された状態で裏面シート３０に供給される。そして、剥離シート３４を裏面シート３０に転写した後、剥離シート３４を剥がすと接着剤３５が裏面シート３０に残るように構成されている。このとき、剥離シート３４は、裏面シート３０に貼り合わされた後にベース吸収体１０と接合されてもよい。
【００６４】
裏面シート３０に剥離シート３４が付与されると、連続体２１、ベース吸収体１０、裏面シート３０等が重ね合わせられた状態で、吸収性物品１の平面形状における外縁に沿って、カッター等により切断される。このとき切断される位置は、ラウンドシール加工にて接合された接合部３１である。また、このとき連続体２１は、形成されるトップ吸収体２０の前端２０ａおよび後端２０ｂが裏面シート３０の前端および後端と一致する位置にて切断される。
【００６５】
本実施形態においては、吸収性物品１の平面形状における外縁に全周に亘ってラウンドシール加工を施した例について説明したが、搬送されるベース吸収体、トップ吸収体等を、ローラ表面に刃が設けられたカッターにて切断する場合には、少なくとも吸収性物品１の平面形状における外縁のうち、搬送方向における前端と後端とにラウンドシール加工を施しておくことが望ましい。搬送方向における前端と後端とにラウンドシール加工を施すことにより前端と後端とが硬化されて切断されやすくなり、切断後のベース吸収体１０等がカッターの刃を有するローラに巻き付くことを防止するとともに搬送方向に向かうようにカッターから分離させることが可能である。
【００６６】
＜包装前処理ステップＳ４００＞（図１３）
メイン製造ステップＳ３００にて製造された個別の吸収性物品１は、搬送装置４の上方に設けられた屈曲した壁（不図示）間を通過する際に保持部３２が壁に案内されて表面側に折り曲げられる。折り曲げられた保持部３２には、搬送装置４側からホットメルト系接着剤３５が塗布された剥離シート３４が付与される。この状態で吸収性物品１は、ほぼ長方形状に折り畳まれる。
【００６７】
剥離シート３４が付与された吸収性物品１は、長手方向が搬送方向と直交する方向に沿うように向きが変更され包装ステップＳ５００に供給される。
【００６８】
＜包装ステップＳ５００＞
帯状の包装シート３６が、図１４に示すように搬送装置４上に供給される。包装シート３６上には、包装前処理された吸収性物品１が表面側を上方に向けられて載置される。このとき、包装前処理ステップＳ４００までは表面側が搬送装置４側に向けられていた吸収性物品１が、裏返されて表面側が上方に向けられて載置される。包装シート３６には吸収性物品１の長手方向に沿って数カ所に僅かな量のホットメルト系接着剤が塗布されており、吸収性物品１は裏面側で包装シート３６と数カ所接着される。
【００６９】
包装シート３６上に載置された吸収性物品１は、搬送装置４から離れた状態で上部に設けられた屈曲した壁部（不図示）間を通過する際に包装シート３６と共に壁部に案内されて、吸収性物品１が包み込まれるようにほぼ三つ折り状に折り畳まれる。このとき、包装シート３６が吸収性物品１と共に折り曲げられることにより包装シート３６の後端３６ｂに塗布されていた接着剤により包装シート３６の後端３６ｂが吸収性物品１の表面側に接着される。折り曲げられた後端３６ｂ側の包装シート３６の上に、前端３６ａ側の包装シート３６と共に吸収性物品１が折り曲げられ、包装シート３６の前端３６ａが既に折り曲げられていた包装シート３６の外面に重ねられ、リードテープ３８により固定される。このように折り曲げられていくと、筒状に形成された包装シート３６内に複数の折り曲げられた吸収性物品１が、搬送方向に互いに間隔を隔てて配置されつつ搬送されていく。
【００７０】
その後、搬送されつつ隣接する吸収性物品１の間が圧縮接合されると、各吸収性物品１が個々に包装された状態で連なる。最後に、吸収性物品１間が圧縮接合された部位の中心がカッター等で切断されることにより、個別包装された吸収性物品１が完成する。
【００７１】
第１実施形態の吸収性物品１の製造方法によれば、ベース吸収体１０、裏面シート３０および連続体２１が接合された後に、吸収性物品１の外形形状に沿って切断されるので、一度の切断ステップにて、ベース吸収体１０、裏面シート３０および連続体２１をそれぞれ切断して吸収性物品１を製造することが可能である。このとき、切断される部位は、シート部材接合ステップにてベース吸収体１０と裏面シート３０とが接合された吸収性物品１の外形形状をなす部位なので、形成された吸収性物品１の外周縁部が接合されて丈夫な吸収性物品１を製造することが可能である。さらに、連続体２１が切断された１つのトップ吸収体２０は、前端２０ａの補強部２６が剥離不能に本接合され、後端２０ｂの補強部２５が剥離可能に仮接合されているので、後端２０ｂの補強部２５をベース吸収体１０から剥離させて、トップ吸収体２０がベース吸収体１０と前端２０ａの補強部２６のみで接合された状態とすることが可能であり、後端２０ｂ側をベース吸収体１０から離した状態で使用することが可能な吸収性物品１を製造することが可能である。このため、例えば、トップ吸収体２０をベース吸収体１０から分離させて臀部の溝にはいりこませ、身体に密着させて使用することが可能な吸収性物品１を製造することが可能である。さらに、トップ吸収体２０の後端２０ｂ側の補強部２５は、シート部材接合ステップにて接合された接合部３１より内側にて仮固定されているので、トップ吸収体２０の仮接合部より後端２０ｂの部位はベース吸収体１０に接合されていない。このため、トップ吸収体１０の後端２０ｂ部を把持して、トップ吸収体２０とベース吸収体２０とを容易に剥離させることが可能な吸収性物品１を製造することが可能である。
【００７２】
また、連続体２１が有する１つのトップ吸収体２０の長手方向の前端２０ａの補強部２６とベース吸収体１０とは接着剤を介して圧着されるので、連続体２１が有する１つのトップ吸収体２０の長手方向の前端２０ａの補強部２６とベース吸収体１０とをより強固に接合することが可能であり、剥離不能な状態とすることが可能である。
【００７３】
＝＝＝第２実施形態＝＝＝
第１実施形態の製造方法は、トップ吸収体２０が連なった連続体２１とベース吸収体１０とを接合して吸収性物品１を製造したが、第２実施形態の製造方法は、予め単体のトップ吸収体２０を製造し、単体のトップ吸収体２０とベース吸収体１０とを接合する。以下の説明においては、第１実施形態と同様の部材には同一の符号を付し、その説明及び同様のステップに関する説明を省略する。
【００７４】
第２実施形態の吸収性物品の製造方法は、連続体製造ステップＳ１００の後に連続体２１が個々のトップ吸収体２０に切断され、メイン製造ステップＳ３００では連続体２１が切断されない点で第１実施形態の製造方法と相違する。このため、第２実施形態では、第１実施形態の連続体製造ステップＳ１００の後に連続体２１を切断する連続体切断ステップＳ１５０が追加されて単体吸収体製造ステップＳ１１０となり、第１実施形態のメイン製造ステップＳ３００から連続体２１を切断するステップが除かれたメイン製造ステップＳ３０１が実行される。
【００７５】
図１５は、連続体切断ステップを説明するための図である。図１６は、第２実施形態のメイン製造ステップを説明するための図である。
【００７６】
＜単体吸収体製造ステップＳ１１０＞
第２実施形態の吸収性物品の製造方法は、図１５に示すように、連続体製造ステップＳ１００にて製造された連続体２１が、連続体切断ステップＳ１５０にて、エンボス加工が施された補強部２５、２６の位置でカッター等により単体のトップ吸収体２０に切断される。このとき、切断されたトップ吸収体２０は、ベース吸収体１０と接合された際に、後端２０ｂが裏面シート３０の後端とほぼ一致するような長さに切断される。切断されたトップ吸収体２０がメイン製造ステップＳ３０１に供給される。
【００７７】
＜メイン製造ステップＳ３０１＞
図１６に示すように、ベース吸収体製造ステップＳ２００にて製造されたベース吸収体１０上に、裏面シート３０が供給され、吸収性物品１の平面形状における外縁に全周に亘ってシート部材接合ステップとしてラウンドシール加工され接合部３１が形成される。
【００７８】
吸収性物品１の外形形状に沿ってラウンドシール加工されたベース吸収体１０及び裏面シート３０が搬送されると、単体吸収体製造ステップＳ１１０にて製造された単体のトップ吸収体２０が、ベース吸収体１０の下方から搬送装置４上に供給される。このとき、トップ吸収体２０がベース吸収体１０の幅方向における中央であって、トップ吸収体２０前端２０ａ側の補強部２６がベース吸収体１０の前端に位置するように位置決めされる。また、このときトップ吸収体２０後端２０ｂは、裏面シート３０の後端とほぼ一致するように配置される。また、供給されるトップ吸収体２０の前端２０ａ側となる補強部２６にはホットメルト系接着剤が塗布されて供給される。
【００７９】
次に、トップ吸収体２０における前端２０ａ側及び後端２０ｂ側の補強部２５、２６とベース吸収体１０とが重なった部位に、吸収体接合ステップとしてのエンボス加工が施される。このとき、トップ吸収体２０の補強部２６とベース吸収体１０とは、それらの間に接着剤が介在されているため、補強部２６のほぼ全域を押圧するエンボス加工により剥離不能に本接合される。また、このとき供給されるトップ吸収体２０の補強部２６に塗布するホットメルト系接着剤の線径を太くすることにより低い押圧力であっても本接合することが可能である。さらに、裏面シート３０にダメージを与えないレベルまで熱を加えても構わない。本実施形態では、補強部２６のほぼ全域を押圧するエンボス加工に加え、ベース吸収体１０の前端側であって吸収体素材１２ａが存在しない位置に部分的なエンボス加工が施され、より強固に本接合される。
【００８０】
一方、トップ吸収体２０の補強部２５とベース吸収体１０との間には接着剤が介在されていないため、剥離可能に仮固定される。そして、補強部２５とベース吸収体１０とを仮接合するためのエンボス加工は、ベース吸収体１０の後端側にて前端側に湾曲した部位の近傍であって、吸収体素材１２ａが存在しない位置に施される。このため、トップ吸収体２０の後端２０ｂ側の補強部２５は、仮接合部２５ｃと製造される吸収性物品１の後端縁１ｂとの間に、補強部２５とベース吸収体１０とが接合されていない非接合部２０ｃが形成される。非接合部２０ｃは、吸収性物品１の使用者が把持できる程度の長さ分だけ設けられ把持部２５ａとなる。すなわち、補強部２５とベース吸収体１０とを仮接合するエンボス加工により、トップ吸収体２０の後端２０ｂ側は、ベース吸収体１０及びトップ吸収体２０の機能を損なうことなくベース吸収体１０から剥離して容易に分離することができる程度に仮接合されるとともに、後端部に把持部２５ａが形成される。トップ吸収体２０の補強部２５とベース吸収体１０とを仮接合するエンボス加工と、トップ吸収体２０の補強部２６とベース吸収体１０とを本接合するエンボス加工とは、いずれかを先に実行して２工程で実行してもよいし、前端用突部と後端用突部とが１つのローラが備えられた装置により１工程にて実行してもよい。また、トップ吸収体２０の前端２０ａ側の補強部２６とベース吸収体１０とを本接合する場合には、必ずしもエンボス加工を施す必要はなく、前端２０ａ側の補強部２６には、予めホットメルト系接着剤が塗布されているので、圧着するだけであっても剥離不能に本接合することが可能である。尚、本接合と仮接合とを１工程で圧着する場合であっても、補強部２５とベース吸収体１０との間には接着剤が介在されていないので、補強部２５とベース吸収体１０とを剥離可能に仮接合することが可能である。
【００８１】
次に、裏面シート３０の中央部分にホットメルト系接着剤が塗布された剥離シート３４が付与される。  
裏面シート３０に剥離シート３４が付与されると、トップ吸収体２０、ベース吸収体１０、裏面シート３０等が重ね合わせられた状態で、吸収性物品１の平面形状における外縁に沿って、すなわちラウンドシール加工にて接合された接合部３１に沿って、カッター等により切断される。  
カッター等により切断されて形成された個別の吸収性物品１は、包装前処理ステップＳ４００に供給される。
【００８２】
第２実施形態の吸収性物品１の製造方法によれば、ベース吸収体１０と裏面シート３０とが接合された後に、吸収性物品１の外形形状に沿って切断されるので、一度の切断ステップにてベース吸収体１０と裏面シート３０とそれぞれ切断して吸収性物品１を製造することが可能である。このとき、切断される部位は、シート部材接合ステップにてベース吸収体１０と裏面シート３０とが接合された吸収性物品１の外形形状をなる接合部３１なので、形成された吸収性物品１の外周縁部が接合されて丈夫な吸収性物品１を製造することが可能である。さらに、トップ吸収体２０は、前端２０ａの補強部２６が剥離不能に本接合され、後端２０ｂの補強部２５が剥離可能に仮接合されているので、後端２０ｂの補強部２５をベース吸収体１０から剥離させて、トップ吸収体２０がベース吸収体１０と前端２０ａの補強部２６のみで接合された状態とすることが可能であり、後端２０ｂ側の補強部２５をベース吸収体１０から離した状態で使用することが可能な吸収性物品１を製造することが可能である。このため、例えば、トップ吸収体２０をベース吸収体１０から分離させて臀部の溝にはいりこませ、身体に密着させて使用することが可能な吸収性物品１を製造することが可能である。さらに、トップ吸収体２０の後端２０ｂの補強部２５は、シート部材接合ステップにて接合された接合部３１より内側にて仮固定されているので、トップ吸収体２０の仮接合部２５ｃより後端２０ｂ側はベース吸収体１０に接合されていない。このため、トップ吸収体２０の仮接合部２５ｃより後端２０ｂ側を把持して、トップ吸収体２０とベース吸収体１０とを容易に剥離させることが可能な吸収性物品１を製造することが可能である。トップ吸収体２０の長手方向の前端２０ａの補強部２６とベース吸収体１０とは接着剤を介して圧着されるので、トップ吸収体２０の長手方向の前端２０ａの補強部２６とベース吸収体１０とをより強固に接合することが可能であり、剥離不能な状態とすることが可能である。
【００８３】
また、トップ吸収体２０は、単体吸収体製造ステップＳ１１０にて単体として製造されるので、トップ吸収体２０の長さを自由に設定することが可能である。このため、単一の製造方法にて、異なる長さのトップ吸収体２０を備えた仕様の異なる吸収性物品１を製造することが可能である。
【００８４】
また、第１及び第２実施形態の吸収性物品１の製造方法によれば、吸収性物品１の外縁から突出させることなく形成した把持部２５ａを把持して、トップ吸収体２０とベース吸収体とを容易に剥離させることが可能な吸収性物品１を製造することが可能である。このため、装着しやすい吸収性物品１のサイズを小さく抑えることが可能であり、携帯性により優れた吸収性物品１を提供することが可能である。
【００８５】
また、ベース吸収体１０の裏面と裏面シート３０とは、接着剤を介して加熱圧着されるので、ベース吸収体１０と裏面シート３０とを、吸収性物品１の外縁となる部位にて、より強固に接合することが可能であり、より丈夫な吸収性物品１を製造することが可能である。
【００８６】
さらに、トップ吸収体１０において剥離不能に本接合される部位は補強された補強部２６なので、たとえ強固に接合された部位が引っ張られてもトップ吸収体２０が損傷されにくい吸収性物品１を製造することが可能である。また、トップ吸収体２０において剥離可能に仮接合される部位は補強された補強部２５なので、たとえ仮接合された部位２５ｃを剥離してもトップ吸収体２０が損傷され難い吸収性物品１を製造することが可能である。
【００８７】
そして、第１及び第２実施形態の吸収性物品１の製造方法により製造された吸収性物品１は、トップ吸収体２０の前端２０ａ部が本接合され後端２０ｂ部が仮接合されているので、後端２０ｂ部をベース吸収体１０から剥離させて、トップ吸収体２０がベース吸収体１０と前端２０ａ部のみで接合された状態とすることが可能であり、後端２０ｂ部側をベース吸収体１０から離した状態で使用することが可能である。このため、トップ吸収体２０をベース吸収体１０から分離させて臀部の溝にはいりこませ、身体に密着させて使用することが可能な吸収性物品１を実現することが可能である。特に、トップ吸収体２０の後端２０ｂの補強部２５は、シート部材接合ステップにて接合された接合部３１より内側にて仮固定されているので、トップ吸収体２０の仮接合部２５ｃより後端２０ｂ側をベース吸収体１０と接合されていない把持部２５ａとすることが可能である。このため、把持部２５ａをベース吸収体１０等から突出させることなく形成し、トップ吸収体２０の後端２０ｂ縁側を把持して、トップ吸収体２０とベース吸収体とを容易に剥離させることが可能な吸収性物品１を実現することが可能である。このため、装着しやすい吸収性物品１のサイズを小さく抑えることが可能であり、携帯性に優れた吸収性物品１を提供することが可能である。
【００８８】
図１７は、第１、第２実施形態に係る吸収性物品の変形例を示す図である。  
上記実施形態においては、ベース吸収体１０の後端側において、吸収体素材１２ａを前方に湾曲させて、仮接合部２５ｃを吸収性物品１の内側に配置した例について説明したが、図１７に示すように、ベース吸収体１０の吸収体素材１２ａの長さを短くし、吸収体素材１２ａの後端近傍を仮接合することにより、仮接合部２５ｃを吸収性物品１の後端１ｂより内側に配置してもよい。
【００８９】
＝＝＝第３実施形態＝＝＝
上述した第１、第２実施形態に係る吸収性物品１は、吸収性物品本体としてのベース吸収体１０が吸収体基材１２と表面シート１４とを有していたが、吸収性物品本体は、必ずしも吸収体基材１２を有していなくともよい。
【００９０】
第３実施形態の吸収性物品２は、吸収性物品本体が表面シート１４のみにて構成されている例について説明する。以下の説明においては、第１実施形態と同様の部材には同一の符号を付し、その説明及び同様のステップに関する説明を省略する。
【００９１】
図１８は第４実施形態に係る吸収性物品の表面側を示す平面図である。図示するように、第３実施形態における吸収性物品２は所定方向に長い形状をなし、吸収性物品本体としての表面シート１４と、表面シート１４の一方の面としての裏面側に設けられ、トップ吸収体２０に吸収されるべき液体の裏面側への漏れを防止するためのシート部材としての裏面シート３０と、表面シート１４の他方の面としての表面に接合され、表面シート１４の幅方向における中央に長手方向に沿って配置された吸収体としてのトップ吸収体２０と、を備えている。
【００９２】
トップ吸収体２０は、表面シート１４上に、その長手方向に沿って配置されている。トップ吸収体２０の前端２０ａ側及び後端２０ｂ側には、補強部２５、２６が形成されている。そして、トップ吸収体２０の一方の端部としての前端２０ａ側の補強部２６は表面シート１４に本接合され、他方の端部としての後端２０ｂ側の補強部２５は表面シート１４から離間可能に形成されている。未使用時には、後端２０ｂ側の補強部２５は、表面シート１４と裏面シート３０とが、外縁部にて接合された接合部３１より内側であって、吸収性物品の使用者が把持できる程度、エンボス加工による仮接合部２５ｃより後端側に、吸収性物品本体と接合されていない部位が形成される位置に仮接合されている。
【００９３】
第３実施形態では、吸収性物品本体が表面シート１４のみにて構成されている例について説明したが、表面シート１４の他にシート状の部材を積層した部材を吸収性物品本体としてもよい。
【００９４】
＜＜第３実施形態の吸収性物品の製造方法＞＞
第３実施形態の吸収性物品２の製造方法について説明する。図１９は、第３実施形態のメイン製造ステップを説明するための図である。  
第３実施形態の吸収性物品２は、トップ吸収体２０を、連続体２１として製造してもよいし、単体の吸収体として製造してもよいが、ここでは連続体２１として製造する製造方法について説明する。吸収性物品２を製造するための製造方法は、連続体製造ステップＳ１００と、メイン製造ステップＳ３２０と、包装前処理ステップＳ４００と、包装ステップＳ５００とを有している。そして、吸収性物品本体が表面シート１４のみであるため上記実施形態のベース吸収体製造ステップに相当する工程がなく、メイン製造ステップＳ３２０にて最初に表面シート１４が供給される点が第１実施形態の製造方法と相違する。
【００９５】
＜メイン製造ステップＳ３２０＞
図１９に示すように、搬送装置４上には、吸収性物品本体としての帯状の表面シート１４が供給されている。搬送装置４には、搬送されている表面シート１４上に、裏面シート３０が供給される。
【００９６】
表面シート１４上に裏面シート３０が重ねられた状態で搬送されると吸収性物品２の平面形状における外縁に、全周に亘って接合部３１を形成するシート部材接合ステップとしてラウンドシール加工が施され、外縁となる部位が全周に亘って加熱圧着して硬化される。
【００９７】
ラウンドシール加工された表面シート１４及び裏面シート３０が搬送されると、連続体製造ステップＳ１００にて製造された連続体２１が、表面シート１４の下方から搬送装置４上に供給される。このとき、連続体２１の身体当接面側、すなわち中間シート１６が設けられた側が搬送装置４と対向するように供給される。供給される連続体２１は、各吸収体素材１２ａに対し前端側となる補強部２６にホットメルト系接着剤が塗布されて供給される。
【００９８】
次に、連続体２１の吸収体素材１２ａにおける前端１２ｆ側及び後端１２ｇ側の補強部２５、２６と表面シート１４とが重なった部位に、連続体接合ステップとしてのエンボス加工が施される。このとき、吸収体素材１２ａにおける前端１２ｆ側の補強部２６と表面シート１４とは、それらの間に接着剤が介在されているため、剥離不能に本接合される。一方、吸収体素材１２ａにおける後端１２ｇ側の補強部２５と表面シート１４との間には接着剤が介在されていないため、剥離可能に仮固定される。
【００９９】
また、補強部２５と表面シート１４とを仮固定するためのエンボス加工は、表面シート１４及び裏面シート３０とにラウンドシール加工を施した接合部３１より内側であって、吸収性物品２の使用者が把持できる程度、エンボス加工による仮接合部より後端側に、表面シート１４と接合されていない補強部２５が形成される位置に施される。すなわち、後端１２ｇ側の補強部２５と表面シート１４とを仮接合するエンボス加工により、トップ吸収体２０の後端２０ｂ側は、表面シート１４及びトップ吸収体２０の機能を損なうことなくベース吸収体１０から剥離して容易に分離することができる程度に接合されるとともに、後端部に把持部２５ａが形成される。
【０１００】
次に、裏面シート３０にホットメルト系接着剤が塗布された剥離シート３４が付与される。  
裏面シート３０に剥離シート３４が付与されると、連続体２１、表面シート１４、裏面シート３０等が重ね合わせられた状態で、吸収性物品２の平面形状における外縁に沿って、すなわちラウンドシール加工にて接合された接合部３１に沿って、カッター等により切断される（切断ステップ）。このとき、連続体２１は、形成されるトップ吸収体２０の前端２０ａおよび後端２０ｂが裏面シート３０の前端および後端と一致する位置にて切断される。
【０１０１】
カッター等により切断されて形成された個別の吸収性物品２は、包装前処理ステップＳ４００に供給される。
【０１０２】
第３実施形態の吸収性物品の製造方法によれば、吸収性物品本体が表面シート１４にて構成され、薄型でコンパクトな吸収性物品２を容易に製造することが可能である。
【０１０３】
＝＝＝トップ吸収体の変形例＝＝＝
上記実施形態では、トップ吸収体２０を吸収体素材１２ａと中間シート１６との外周を表面シート１４が包んでおり、トップ吸収体２０の前端２０ａ側及び後端２０ｂ側には、表面シート１４のみが折り畳まれて接着された状態でエンボス加工が施されて補強部２５、２６が形成されているが、トップ吸収体２０は、補強部２５、２６にも吸収体素材１２ａが存在しても構わない。
【０１０４】
＜連続体製造ステップＳ１２０＞
図２０は、補強部にも吸収体素材が存在するトップ吸収体の製造方法を示す図である。  
帯状の表面シート１４が、連続体製造用の搬送装置３上に供給される。  
搬送された表面シート１４上には、単票状に切断された中間シート１６が供給され、開孔エンボス加工により、表面シート１４と中間シート１６とが一体化される。  
一体化された表面シート１４と中間シート１６とが搬送されると中間シート１６上に、エアレイドパルプシートや液吸収性を有する不織布といったシート状物が吸収体素材１２ａとして積層される。  
繋がって搬送される吸収体素材１２ａの、搬送方向と交差する方向に位置する表面シート１４上にホットメルト系接着剤が塗布される。  
搬送装置３の屈曲された表面に沿って表面シート１４が案内されることにより、吸収体素材１２ａが、中間シート１６と一体となった表面シート１４によって包まれる。
【０１０５】
次に、表面シート１４に包まれた一本の繋がった吸収体素材１２ａに所定の間隔にてエンボス加工が施される。このエンボス加工によりエンボスを形成すると共に接着する。この場合には、第１実施形態にて、搬送方向に隣接する吸収体素材１２ａ間に施したエンボス加工より突出量が大きな突部を有する下ローラが用いられ、突部により表面シート１４、吸収体素材１２ａ、中間シート１６が圧搾され、圧搾された箇所が補強部２５、２６となって、吸収体素材１２ａの前後にそれぞれ補強部２５、２６が形成されたトップ吸収体２０の連続体２１が製造される。
【０１０６】
連続体２１は、更に搬送されて吸収体素材１２ａの薄肉部１２ｃに沿って折り癖を付与する処理が施される。  
その後、連続体２１の各々のトップ吸収体２０となる部位に対しフック材２２が供給され、メイン製造ステップＳ３００に供給される。
【０１０７】
＝＝＝その他の実施形態＝＝＝
上記実施形態においては、説明の便宜上、ベース吸収体１０が幅方向の中央に１つの吸収体基材１２を備える構成について説明したが、これに限るものではない。例えば、ベース吸収体１０における幅方向の両端部に、それぞれ、長手方向に沿って側部吸収体を備える構成としてもよい。また、側部吸収体に代えて、前記両端部のそれぞれに立体ギャザーを備える構成としてもよい。
【０１０８】
また、上記実施形態においては、吸収性物品１の装着時に、トップ吸収体２０が身体の溝部に密着するように位置調整された状態で、トップ吸収体２０を固定するためのフック材２２を、トップ吸収体２０の後端側に設けた例について説明したが、フック材２２のようなトップ吸収体２０を固定するための部材は、必ずしも備えなくともよい。この場合には、トップ吸収体２０を身体の溝部に入り込ませることにより、トップ吸収体２０が挟み込まれて身体の溝部に保持される。
【０１０９】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【図面の簡単な説明】
【０１１０】
【図１】本実施形態に係る吸収性物品の表面側を示す平面図である。
【図２】本実施形態に係る吸収性物品の裏面側を示す図である。
【図３】図１におけるＸ−Ｘ断面図である。
【図４】図１におけるＹ−Ｙ断面図である。
【図５】本実施形態に係る吸収性物品を示す斜視図である。
【図６】トップ吸収体を示す平面図である。
【図７】図７（ａ）は図６におけるＡ−Ａ断面図である。図７（ｂ）は図６におけるＢ−Ｂ断面図である。図７（ｃ）は図６におけるＣ−Ｃ断面図である。
【図８】吸収性物品が包装される状態を説明するための図である。
【図９】第１実施形態に係る吸収性物品の製造方法を説明するための図である。
【図１０】連続体製造ステップを説明するための図である。
【図１１】ベース吸収体製造ステップを説明するための図である。
【図１２】メイン製造ステップを説明するための図である。
【図１３】包装前処理ステップを説明するための図である。
【図１４】包装ステップを説明するための図である。
【図１５】連続体切断ステップを説明するための図である。
【図１６】第２実施形態のメイン製造ステップを説明するための図である。
【図１７】第１、第２実施形態に係る吸収性物品の変形例を示す図である。
【図１８】第３実施形態に係る吸収性物品の表面側を示す平面図である。
【図１９】第３実施形態のメイン製造ステップを説明するための図である。
【図２０】補強部にも吸収体素材が存在するトップ吸収体の製造方法を示す図である。
【符号の説明】
【０１１１】
１  吸収性物品、１ａ  前端、１ｂ  後端、２  吸収性物品、３  搬送装置、
４  搬送装置、１０  ベース吸収体、１０ａ  後端縁、１１  積層吸収体、
１２  吸収体基材、１２ａ  吸収体素材、１２ｂ  薄葉紙、１２ｃ  薄肉部、
１２ｆ  前端、１２ｇ  後端、１４  表面シート、１６  中間シート、１８  溝部、
１８ａ  第１溝部、１８ｂ  第２溝部、１９  深底凹部、２０  トップ吸収体、
２０ａ  前端、２０ｂ  後端、２０ｃ  非接合部、２１  連続体、２２  フック材、
２５  補強部、２５ａ  把持部、２５ｃ  仮接合部、２６  補強部、
３０  裏面シート、３１  接合部、３２  保持部、３４  剥離シート、
３５  接着剤、３６  包装シート、３６ａ  前端、３６ｂ  後端、３６ｃ  縁部、
３８  リードテープ、４０回転盤、
Ｚ  身体排泄口部位当接想定位置
【図１】
2008113959.tif 000003
【図２】
2008113959.tif 000004
【図３】
2008113959.tif 000005
【図４】
2008113959.tif 000006
【図５】
2008113959.tif 000007
【図６】
2008113959.tif 000008
【図７】
2008113959.tif 000009
【図８】
2008113959.tif 000010
【図９】
2008113959.tif 000011
【図１０】
2008113959.tif 000012
【図１１】
2008113959.tif 000013
【図１２】
2008113959.tif 000014
【図１３】
2008113959.tif 000015
【図１４】
2008113959.tif 000016
【図１５】
2008113959.tif 000017
【図１６】
2008113959.tif 000018
【図１７】
2008113959.tif 000019
【図１８】
2008113959.tif 000020
【図１９】
2008113959.tif 000021
【図２０】
2008113959.tif 000022